(57)【要約】【課題】簡単な構成で原稿の範囲を検出することができる画像読取装置を提供する。【解決手段】読取り動作モードが通常モードの場合、ＣＩＳラインセンサーに白板を対向させてから、原稿読み取りを実行する（Ｓ００５）。読取り動作モードが原稿位置を検出して補正を行なうモードである場合、ＣＩＳラインセンサーに黒板を対向させてから、原稿読み取りを実行する（Ｓ００６）。読取られた画像データにおける原稿外の領域は黒色となるため、原稿領域検出が可能である。この際、黒板の写り込みを補正するためのガンマ補正カーブを用いて画像の補正を行なう。【選択図】図４
2009171429.tif 000002
【特許請求の範囲】
【請求項１】
原稿を原稿搬送経路に沿って搬送する原稿搬送手段と、
複数の画素の撮像素子からなり、前記原稿搬送経路上を搬送される原稿を読取り、画像データに変換する読取手段と、
第１の色を有する第１の背面板と、
前記第１の色よりも濃い色が付された第２の背面板と、
前記第１の背面板および前記第２の背面板のいずれか一方が、前記読取手段と対向する位置となるように駆動を行なう駆動手段と、
第１の原稿読取りモードにおいては、前記第１の背面板が前記読取手段に対向する位置となるように前記駆動手段を制御する第１の制御手段と、
第２の原稿読取りモードにおいては、前記第２の背面板が前記読取手段に対向する位置となるように前記駆動手段を制御する第２の制御手段と、
前記第２の原稿読取りモードにおいて、前記読取手段で読取られた、原稿と前記第２の背面板との画像の差に基づいて、原稿の範囲を検出する検出手段とを備えた、画像読取装置。
【請求項２】
前記読取手段で前記第２の背面板を読取って得られた画像データに基づいて、シェーディング補正を行なう補正手段をさらに備えた、請求項１に記載の画像読取装置。
【請求項３】
前記第２の原稿読取りモードにおいて読取られた原稿の画像に対して、前記第２の背面板が画像に及ぼす影響を低減させる処理を行なう画像処理手段をさらに備えた、請求項１または２に記載の画像読取装置。
【請求項４】
前記画像処理手段は、
前記第１の原稿読取りモードにおいて読取られた原稿の画像に対しては、第１の画像処理を行ない、
前記第２の原稿読取りモードにおいて読取られた原稿の画像に対しては、第２の画像処理を行ない、
前記第２の画像処理は、背面板の裏写りを低減する処理を含む、請求項３に記載の画像読取装置。
【請求項５】
前記原稿搬送手段は、
前記第１の原稿読取りモードにおいては、第１の速度で原稿搬送を行ない、
前記第２の原稿読取りモードにおいては、前記第１の速度よりも遅い第２の速度での原稿搬送を行なう、請求項１から４のいずれかに記載の画像読取装置。
【請求項６】
前記第２の原稿読取りモードは、原稿領域以外の画像をイレースするモードであり、
前記検出手段で検出された原稿の範囲に基づいて、原稿外の画像をイレースするイレース手段をさらに備えた、請求項１から５のいずれかに記載の画像読取装置。
【請求項７】
前記第２の原稿読取りモードは、原稿傾き検出を行なうモードであり、
前記検出手段で検出された原稿の範囲に基づいて、原稿の傾き量を算出する手段をさらに備えた、請求項１から５のいずれかに記載の画像読取装置。
【請求項８】
前記第２の原稿読取りモードは、画像位置のずれ量の検出を行なうモードであり、
前記検出手段で検出された原稿の範囲に基づいて、原稿の位置ずれ量を算出する手段をさらに備えた、請求項１から５のいずれかに記載の画像読取装置。
【請求項９】
原稿を原稿搬送経路に沿って搬送する原稿搬送手段と、
複数の画素の撮像素子からなり、前記原稿搬送経路上を搬送される原稿を読取り、画像データに変換する読取手段と、
前記原稿搬送経路を挟んで、前記読取手段と対向するように位置することができる黒色の背面板と、
前記読取手段で、前記黒色の背面板を読取って得られた画像データに基づいて、シェーディング補正を行なう補正手段と、
原稿読取時に、前記読取手段で読取られた、原稿と前記黒色の背面板との画像の差に基づいて原稿の範囲を検出する検出手段とを備えた、画像読取装置。
【請求項１０】
前記黒色の背面板の裏写りを低減させるための画像処理を行なう画像処理手段をさらに備えた、請求項９に記載の画像読取装置。
【請求項１１】
原稿を原稿搬送経路に沿って搬送する原稿搬送手段と、
複数の画素の撮像素子からなり、前記原稿搬送経路上を搬送される原稿を読取り、画像データに変換する読取手段と、
第１の色を有する第１の背面板と、
前記第１の色よりも濃い色が付された第２の背面板と、
前記第１の背面板および前記第２の背面板のいずれか一方が、前記読取手段と対向する位置となるように駆動を行なう駆動手段とを備えた画像読取装置の制御方法であって、
第１の原稿読取りモードにおいては、前記第１の背面板が前記読取手段に対向する位置となるように前記駆動手段を制御する第１の制御ステップと、
第２の原稿読取りモードにおいては、前記第２の背面板が前記読取手段に対向する位置となるように前記駆動手段を制御する第２の制御ステップと、
前記第２の原稿読取りモードにおいて、前記読取手段で読取られた、原稿と前記第２の背面板との画像の差に基づいて原稿の範囲を検出する検出ステップとを備えた、画像読取装置の制御方法。
【請求項１２】
原稿を原稿搬送経路に沿って搬送する原稿搬送手段と、
複数の画素の撮像素子からなり、前記原稿搬送経路上を搬送される原稿を読取り、画像データに変換する読取手段と、
前記原稿搬送経路を挟んで、前記読取手段と対向するように位置することができる黒色の背面板とを備えた画像読取装置の制御方法であって、
前記読取手段で、前記黒色の背面板を読取って得られた画像データに基づいて、シェーディング補正を行なう補正ステップと、
原稿読取時に、前記読取手段で読取られた、原稿と前記黒色の背面板との画像の差に基づいて原稿の範囲を検出する検出ステップとを備えた、画像読取装置の制御方法。
【発明の詳細な説明】
【技術分野】
【０００１】
この発明は、画像読取装置、および画像読取装置の制御方法に関し、特に、読取手段に対向することが可能な背面板を備えた画像読取装置、および画像読取装置の制御方法に関する。
【背景技術】
【０００２】
電子写真式の画像形成装置（ＭＦＰ（Ｍｕｌｔｉ  Ｆｕｎｃｔｉｏｎ  Ｐｅｒｉｐｈｅｒａｌ）、ファクシミリ装置、複写機など）には、原稿読取装置が設けられている。原稿読取装置には、接触型のイメージセンサ（ＣＩＳ）を固定した状態で、原稿を移動させることで原稿の読取りを行なう所謂「流し撮り」を行なうものがある。
【０００３】
下記特許文献１は、流し撮りの原稿読取り位置での原稿の背面部に「背景ローラー」を設置する画像読取装置を開示している。読取原稿の主走査サイズに応じて、背景ローラーの異なる面が背面として用いられる。
【０００４】
背景ローラーは主走査の端部分が黒色になっており、中心付近は白色になっている。背景ローラーの面により白色部分の広さが異なっている。読取原稿サイズに近い白色幅の面が背面に用いられる。これにより、裏写りを防止しつつ、原稿領域を検出して傾き検出等が行なわれる。
【０００５】
下記特許文献２は、流し撮りの読取位置（白色背面板）の上流に、原稿主走査範囲検出位置（黒色背面板）がある画像読取装置を開示する。読取ユニットは、まず原稿主走査範囲検出位置で原稿範囲を検出し、その後、読取位置に読取ユニットを移動して原稿を読取る。原稿外の画像は、イレースすることができる。
【０００６】
下記特許文献３は、読取り位置の背面部分に、着脱可能な着色シートを装着することによって、白紙原稿により読取位置調整や、傾き検出等を行なう画像形成装置を開示している。
【特許文献１】特開２００４−２８２１５１号公報
【特許文献２】特開２００５−１８４４３９号公報
【特許文献３】特開２００７−８１８９６号公報
【発明の開示】
【発明が解決しようとする課題】
【０００７】
流し撮りの原稿読取においては、原稿搬送中の原稿のスキューや、ずれなどによって、原稿を読取った画像の傾きや位置ずれが発生する。
【０００８】
このような現象に関しては、
【０００９】
（１）  各装置固有のばらつきであり、繰り返し読取りを行ったときに、ずれ等の程度が一様なもの。
【００１０】
（２）  繰り返し読取りを行ったときに、ずれ等の発生の程度が一様でないもの。
【００１１】
がある。
【００１２】
このような現象を解決するため、例えば、
【００１３】
（１）のような現象については、個々の装置のずれ等の程度を測定し、それを補正するように制御することが考えられている。
【００１４】
（２）のような現象については、原稿読取りを行う毎に、当該読取り時の原稿のずれ等を測定し、その結果に応じて読取り画像を補正するように制御することが考えられている。例えば、読取った画像を画像メモリに一旦保存し、位置ずれや傾きを補正して出力する、または、原稿領域外を消去（イレース）して出力するものである。
【００１５】
ところが、上記のような処理をするためには、位置ずれ等を正確に検出する機構が必要である。そのための特別な検出機構を備えるために、装置のコストアップに繋がったり、装置の構成が複雑になる等の問題があった。
【００１６】
この発明はそのような問題点を解決するためになされたものであり、簡単な構成で原稿の範囲を検出することができる画像読取装置、および画像読取装置の制御方法を提供することを目的としている。
【課題を解決するための手段】
【００１７】
上記目的を達成するためこの発明のある局面に従うと、画像読取装置は、原稿を原稿搬送経路に沿って搬送する原稿搬送手段と、複数の画素の撮像素子からなり、原稿搬送経路上を搬送される原稿を読取り、画像データに変換する読取手段と、第１の色を有する第１の背面板と、第１の色よりも濃い色が付された第２の背面板と、第１の背面板および第２の背面板のいずれか一方が、読取手段と対向する位置となるように駆動を行なう駆動手段と、第１の原稿読取りモードにおいては、第１の背面板が読取手段に対向する位置となるように駆動手段を制御する第１の制御手段と、第２の原稿読取りモードにおいては、第２の背面板が読取手段に対向する位置となるように駆動手段を制御する第２の制御手段と、第２の原稿読取りモードにおいて、読取手段で読取られた、原稿と第２の背面板との画像の差に基づいて、原稿の範囲を検出する検出手段とを備える。
【００１８】
好ましくは画像読取装置は、読取手段で第２の背面板を読取って得られた画像データに基づいて、シェーディング補正を行なう補正手段をさらに備える。
【００１９】
好ましくは画像読取装置は、第２の原稿読取りモードにおいて読取られた原稿の画像に対して、第２の背面板が画像に及ぼす影響を低減させる処理を行なう画像処理手段をさらに備える。
【００２０】
好ましくは画像処理手段は、第１の原稿読取りモードにおいて読取られた原稿の画像に対しては、第１の画像処理を行ない、第２の原稿読取りモードにおいて読取られた原稿の画像に対しては、第２の画像処理を行ない、第２の画像処理は、背面板の裏写りを低減する処理を含む。
【００２１】
好ましくは原稿搬送手段は、第１の原稿読取りモードにおいては、第１の速度で原稿搬送を行ない、第２の原稿読取りモードにおいては、第１の速度よりも遅い第２の速度での原稿搬送を行なう。
【００２２】
好ましくは第２の原稿読取りモードは、原稿領域以外の画像をイレースするモードであり、画像読取装置は、検出手段で検出された原稿の範囲に基づいて、原稿外の画像をイレースするイレース手段をさらに備える。
【００２３】
好ましくは第２の原稿読取りモードは、原稿傾き検出を行なうモードであり、画像読取装置は、検出手段で検出された原稿の範囲に基づいて、原稿の傾き量を算出する手段をさらに備える。
【００２４】
好ましくは第２の原稿読取りモードは、画像位置のずれ量の検出を行なうモードであり、画像読取装置は、検出手段で検出された原稿の範囲に基づいて、原稿の位置ずれ量を算出する手段をさらに備える。
【００２５】
この発明の他の局面に従うと画像読取装置は、原稿を原稿搬送経路に沿って搬送する原稿搬送手段と、複数の画素の撮像素子からなり、原稿搬送経路上を搬送される原稿を読取り、画像データに変換する読取手段と、原稿搬送経路を挟んで、読取手段と対向するように位置することができる黒色の背面板と、読取手段で、黒色の背面板を読取って得られた画像データに基づいて、シェーディング補正を行なう補正手段と、原稿読取時に、読取手段で読取られた、原稿と黒色の背面板との画像の差に基づいて原稿の範囲を検出する検出手段とを備える。
【００２６】
好ましくは画像読取装置は、黒色の背面板の裏写りを低減させるための画像処理を行なう画像処理手段をさらに備える。
【００２７】
この発明のさらに他の局面に従うと、原稿を原稿搬送経路に沿って搬送する原稿搬送手段と、複数の画素の撮像素子からなり、原稿搬送経路上を搬送される原稿を読取り、画像データに変換する読取手段と、第１の色を有する第１の背面板と、第１の色よりも濃い色が付された第２の背面板と、第１の背面板および第２の背面板のいずれか一方が、読取手段と対向する位置となるように駆動を行なう駆動手段とを備えた画像読取装置の制御方法は、第１の原稿読取りモードにおいては、第１の背面板が読取手段に対向する位置となるように駆動手段を制御する第１の制御ステップと、第２の原稿読取りモードにおいては、第２の背面板が読取手段に対向する位置となるように駆動手段を制御する第２の制御ステップと、第２の原稿読取りモードにおいて、読取手段で読取られた、原稿と第２の背面板との画像の差に基づいて原稿の範囲を検出する検出ステップとを備える。
【００２８】
この発明のさらに他の局面に従うと、原稿を原稿搬送経路に沿って搬送する原稿搬送手段と、複数の画素の撮像素子からなり、原稿搬送経路上を搬送される原稿を読取り、画像データに変換する読取手段と、原稿搬送経路を挟んで、読取手段と対向するように位置することができる黒色の背面板とを備えた画像読取装置の制御方法は、読取手段で、黒色の背面板を読取って得られた画像データに基づいて、シェーディング補正を行なう補正ステップと、原稿読取時に、読取手段で読取られた、原稿と黒色の背面板との画像の差に基づいて原稿の範囲を検出する検出ステップとを備える。
【発明の効果】
【００２９】
これらの発明に従うと、簡単な構成で原稿の範囲を検出することができる画像読取装置、および画像読取装置の制御方法を提供することが可能となる。
【発明を実施するための最良の形態】
【００３０】
以下、本発明の実施の形態の１つにおける流し撮り原稿読取装置について説明する。
【００３１】
流し撮り原稿読取装置は、読取り位置において、黒シェーディングを行う為の黒シェーディング板を供える。黒シェーディング板は、原稿領域検出の背景板としても利用される。原稿の色（白）と黒シェーディング板の色との差に基づいて、原稿の領域（範囲）が検出される。これにより、特に原稿領域検出用の機構を追加しなくても、正確な原稿領域の検出が可能となる。原稿領域に基づいて、原稿の傾き検出や、読取位置ずれの検出などが可能となる。
【００３２】
図１は、本発明の実施の形態におけるシートスルータイプの流し撮り原稿読取装置のメカ構成を示す図である。
【００３３】
流し撮り原稿読取装置は、自動原稿送り装置および画像読み込み装置を備えている。
【００３４】
給紙トレイに積載された原稿は、給紙ローラー１００で給紙され、分離ローラー１０１、および読取り前ローラー１０２で読取り位置へ搬送される。
【００３５】
ＣＩＳラインセンサー１０４は、読取り位置１０５を通過する原稿を読取り、主走査方向に１ライン当り７５００画素のＲＧＢのアナログ原稿画像データを生成する。すなわち、ＣＩＳラインセンサー１０４は、複数の画素の撮像素子からなり、原稿搬送経路上を搬送される原稿を読取り、画像データに変換するセンサーである。ＣＩＳラインセンサー１０４は、副走査方向に搬送される原稿を複数ライン読取ることにより、原稿画像全体を読取る。
【００３６】
読取られた原稿は、ローラー１０３によって搬送され、排出積載トレイへ排出される。
【００３７】
六角柱状の対向板部材１０６は、読取位置１０５を挟んでＣＩＳラインセンサー１０４と対向する位置に配置されている。
【００３８】
図２は、対向板部材１０６の詳細を示す側面図である。
【００３９】
対向板部材１０６は、Ａ１、Ａ２、Ｂ１、Ｂ２、Ｃ１、およびＣ２の六面からなる六角柱の形状をしており、中心軸を中心に回転駆動可能なものである。Ａ１、Ａ２、Ｂ１、Ｂ２、Ｃ１、およびＣ２の六面は以下のように構成されている。
【００４０】
・Ａ１、Ａ２面：原稿読取り時用白色板
【００４１】
・Ｂ１、Ｂ２面：白シェーディング用白色板
【００４２】
・Ｃ１、Ｃ２面：黒シェーディング用黒色板
【００４３】
Ａ１面とＡ２面、Ｂ１面とＢ２面、または、Ｃ１面とＣ２面は、それぞれ同様のものであり、区別する必要はないので、以下、Ａ１面又はＡ２面をＡ面、Ｂ１面又はＢ２面をＢ面、Ｃ１面又はＣ２面をＣ面と呼ぶ。
【００４４】
図３は、流し撮り原稿読取装置の全体構成を示すブロック図である。
【００４５】
図を参照して流し撮り原稿読取装置は、画像処理部２１と、操作部２２と、全体制御部２５と、搬送駆動部２３と、対向板駆動部２４とを備える。
【００４６】
画像処理部２１においては、以下の処理が行なわれる。
【００４７】
ＡＤ変換部２１１は、ＣＩＳラインセンサー１０４から出力されるＲＧＢアナログ画像データを、デジタルＲＧＢ画像データに変換する。
【００４８】
シェーディング補正部２１２は、デジタルＲＧＢ画像データのシェーディング補正を行なう。このとき、白シェーディングを行なう場合には、白シェーディングデータ格納部２１２ｂのデータが用いられる。黒シェーディングを行なう場合には、黒シェーディングデータ格納部２１２ｃのデータが用いられる。補正は、補正部２１２ａにおいて行なわれる。
【００４９】
その後、ライン間補正部２２１ａ、色収差補正部２２１ｂ、および解像度変換部２２１ｃで、画像データに対するライン間補正、色収差補正、および解像度変換が行なわれる。
【００５０】
ガンマ変換部（補正部）２１３は、解像度変換後のデータに対してガンマ変換処理を行なう。ガンマ変換後のデータは、画像メモリ部２１４に格納される。
【００５１】
その後、画像メモリ部２１４から画像補正部２１５へデータが出力される。画像補正部２１５は、必要に応じて、画像位置補正、画像傾き補正、および原稿外イレースの処理を実行してから、図示しない外部機器（印字装置、外部コンピュータなど）へデータを出力する。
【００５２】
原稿領域検出部２１６は、原稿領域と原稿外領域との画像データの濃度差（または色の差）に基づいて、原稿領域を検出する。
【００５３】
原稿領域検出部２１６で原稿領域を検出する為には、原稿外領域が原稿色とは異なる色（ここでは黒色）である必要がある。原稿領域検出部２１６は、原稿領域を検出すると、原稿外領域情報（イレース領域情報）ｄ１、主走査原稿位置ずれ情報ｄ２（値の範囲は±５ｍｍ）、副走査原稿位置ずれ情報ｄ３（値の範囲は±５ｍｍ）、および原稿傾き情報ｄ４（値の範囲は±１０度）を生成する。
【００５４】
原稿外領域情報ｄ１は、原稿全面の各画素について、原稿領域であれば１、原稿外領域であれば０の値をもつビットマップ情報である。
【００５５】
シェーディング補正部２１２は、白シェーディング補正と黒シェーディング補正とを行なう。
【００５６】
白シェーディング補正では、原稿のない状態で対向板部材１０６のＢ面が読取られる。これにより、ＣＩＳラインセンサー１０４の主走査方向の各画素について、低濃度画像の読取り感度バラつきのデータ（白シェーディングデータ）が取得される。取得されたデータに基づいて、原稿読取り時には、原稿の低濃度部の原稿読取り画像データの感度バラつき補正が行なわれる。
【００５７】
黒シェーディング補正では、原稿のない状態で対向板部材１０６のＣ面が読取られる。これにより、ＣＩＳラインセンサー１０４の主走査方向の各画素について、高濃度画像の読取り感度バラつきのデータ（黒シェーディングデータ）が取得される。取得されたデータに基づいて、原稿読取り時には、原稿の高濃度部の原稿読取り画像データの感度バラつき補正が行なわれる。
【００５８】
操作部２２は、表示パネルや、各種操作キーから構成される。操作部２２は、操作者による読取り動作モードの設定や、読取り開始の指示を受付けるものである。
【００５９】
ここでは、読取り動作モードとして、以下のようなモードが設定可能である。
【００６０】
（１）  傾き補正モード
【００６１】
（２）  読取り位置補正モード
【００６２】
（３）  原稿外イレースモード
【００６３】
（４）  通常モード（上記以外のモード）
【００６４】
搬送駆動部２３は、図１に示した各種ローラー１００〜１０３を駆動することにより、原稿を搬送する。
【００６５】
対向板駆動部２４は、対向板部材１０６を駆動する。
【００６６】
全体制御部２５は、図３の各部を制御するものである。全体制御部２５は、操作部２２で読取り動作モードが設定された後に、読取り開始の指示がなされると、以下のように全体を制御する。
【００６７】
図４は、全体制御部２５で実行される処理を示すフローチャートである。
【００６８】
ステップＳ００１において、読取り開始の指示が出されると、ステップＳ００２において白シェーディングが行なわれる。すなわち、ここでは対向板部材１０６のＢ面をＣＩＳラインセンサー１０４に対向させてから、画像処理部２１を制御して白シェーディングデータを取得させる。白シェーディングとは、ＣＩＳセンサが低濃度の画像を読取った場合の各撮像素子の感度ばらつきを補正するためのものである。
【００６９】
ステップＳ００３において、黒シェーディングが行なわれる。すなわち、ここでは対向板部材１０６のＣ面をＣＩＳラインセンサー１０４に対向させてから、画像処理部２１を制御して黒シェーディングデータを取得させる。黒シェーディングとは、ＣＩＳセンサが高濃度の画像を読取った場合の各撮像素子の感度ばらつきを補正するためのものである。
【００７０】
ステップＳ００４において、読取り動作モードが（４）「通常モード」の場合、ステップＳ００５に進む。
【００７１】
ステップＳ００５では、対向板部材１０６のＡ面をＣＩＳラインセンサー１０４に対向させてから、画像処理部２１、および搬送駆動部２３を制御して、原稿読取りをさせる。
【００７２】
また、この場合、ガンマ変換部２１３では図５に示す、「ガンマ補正カーブ１」でのガンマ補正を行なわせる。
【００７３】
さらにこの場合、搬送駆動部２３による原稿の搬送速度は、Ｔ１（例えばＴ１＝２００ｍｍ／ｓ）として原稿を搬送させる。
【００７４】
ステップＳ００４で読取り動作モードが（１）〜（３）の場合（傾き補正モード、読取り位置補正モード、または原稿外イレースモードである場合）、対向板部材１０６のＣ面をＣＩＳラインセンサー１０４に対向させてから、画像処理部２１、および搬送駆動部２３を制御して、原稿読取りをさせる。
【００７５】
従ってこの場合、原稿外領域は黒色であり、原稿領域検出部２１６での原稿領域検出が可能である。
【００７６】
また、この場合、ガンマ変換部２１３では図６に示す、「ガンマ補正カーブ２」でのガンマ補正を行わせる。
【００７７】
さらにこの場合、搬送駆動部２３による原稿の搬送速度は、Ｔ２（Ｔ１＞Ｔ２、例えばＴ２＝１００ｍｍ／ｓ）として原稿を搬送させる。
【００７８】
ステップＳ００５またはＳ００６で読取りが終了すると、ステップＳ００７で画像メモリ部２１４から画像を出力させると共に、画像補正部２１５で各種画像補正を行わせる。
【００７９】
画像補正部２１５では、読取り動作モードに応じて以下の処理をさせる。
【００８０】
・モード（１）である場合、ステップＳ０１３でステップＳ０１４に移行し、原稿傾き情報ｄ４に基づいて、画像を回転して傾きを補正する。
【００８１】
・モード（２）である場合、ステップＳ０１３でステップＳ０１５に移行し、主走査原稿位置ずれ情報ｄ２、および副走査原稿位置ずれ情報ｄ３に基づいて、画像位置をシフトして、位置ずれを補正する。
【００８２】
・モード（３）である場合、ステップＳ０１３でステップＳ０１６に移行し、原稿外領域情報ｄ４に基づいて、原稿外領域をイレース（消去）処理する。
【００８３】
・モード（４）である場合、ステップＳ０１１で何もしない。
【００８４】
図５は、ガンマ補正カーブ１を示す図である。
【００８５】
図においては横軸に入力画像の濃度、縦軸に出力画像の濃度を示している。ここでは、入力画像の濃度および出力画像の濃度は、それぞれ０〜２５５の階調で示されている。０が白を、２５５が黒を示す。
【００８６】
ガンマ補正カーブ１は、Ｓ字状のカーブであり、入力画像の低濃度領域（白っぽい部分）を比較的再現よく出力画像に反映させるものである。
【００８７】
図６は、ガンマ補正カーブ２を示す図である。
【００８８】
ガンマ補正カーブ２は、ガンマ補正カーブ１と比較して、入力画像の所定の低濃度領域において、出力画像濃度が０になるようにするものである。
【００８９】
このように、ガンマ補正カーブ１、２を切換えて用いる理由について、以下に説明する。
【００９０】
図７は、対向板のＡ面をＣＩＳラインセンサー１０４に対向させて、ある原稿を読取った場合の原稿濃度のヒストグラムを示す図である。
【００９１】
図においては横軸が画像濃度を示し、縦軸がその濃度を有する画素の数を示す。また、画像濃度Ｐ１が画素数のピーク位置を示す。
【００９２】
図８は、対向板のＣ面をＣＩＳラインセンサー１０４に対向させて、ある原稿を読取った場合の原稿濃度のヒストグラムを示す図である。
【００９３】
画像濃度Ｐ２が画素数のピーク位置を示す。
【００９４】
黒色のＣ面を用いた場合、裏写りにより、原稿下地部分の濃度である濃度ピークの値Ｐ２が、Ａ面を用いて読取った場合の値Ｐ１よりも高い値となる。このような観点から、黒色のＣ面を用いた場合には下地部分を白にするため、図６のガンマ補正カーブ２を用いるものである。これにより、背面板の裏写りが低減される。
【００９５】
すなわち、図４のステップＳ００６においては、図８の濃度Ｐ２の原稿下地部分の出力画像データを０とするために、ガンマ補正カーブ２が用いられる。一方、裏写りさえなければ、ガンマ補正カーブ１を用いたほうが低濃度部の階調再現性が優れている為、ステップＳ００５ではガンマ補正カーブ１が用いられる。
【００９６】
次に、原稿搬送速度Ｔ１、Ｔ２を切換えて用いる理由（搬送速度Ｔ２をＴ１より遅い速度としている理由）について、以下に説明する。
【００９７】
原稿速度が速いほど、原稿のばたつきによる原稿と対向板との接触が発生し、対向板が傷つきやすくなる。また、原稿速度が速いほど、原稿から紙粉が発生して対向板に付着しやすくなる。このため、黒シェーディングにも用いるＣ面に対しては、傷や紙粉付着の発生を低減させる必要がある。
【００９８】
このような観点から、通紙時にＣ面を用いるときには、原稿搬送速度を落とすものである。
【００９９】
図９は、図３の原稿領域検出部２１６が検出する情報を示す図である。
【０１００】
図中、“Ａ”の点線で示される領域は、読取り時に傾きやずれがなかった場合の理想の原稿領域を示す。“Ｂ”の点線で示される領域は、読取り時に傾きやずれがあった場合の原稿領域を示す。
【０１０１】
ハッチングが付された原稿外領域情報（イレース領域情報）ｄ１は、黒シェーディング用黒色板の色が検出された領域とされる。主走査原稿位置ずれ情報ｄ２、副走査原稿位置ずれ情報ｄ３、および原稿傾き情報ｄ４は、理想の原稿領域と実際の原稿領域とのずれから求められる。
【０１０２】
このように、原稿と黒シェーディング用黒色板との色彩、濃度の差によって、原稿の位置や範囲、傾きなどを知ることができる。これらの情報に基づいて、画像の補正が行なわれる。
【０１０３】
［実施の形態における効果］
【０１０４】
以上のように本実施の形態によると、シェーディングに用いる対向板部材１０６の黒面を用いて原稿領域の判別、および判別結果に応じた画像処理を行なうことができる。
【０１０５】
［その他］
【０１０６】
なお、ここでは黒と白との対向板を例示したが、第１の濃度の色彩が付された第１の背面板と、第１の濃度の色彩よりも濃い濃度の色彩が付された第２の背面板とを用いて処理を行なってもよい。
【０１０７】
流し撮り原稿読取装置は、画像形成装置に内蔵させることができる。また、画像形成装置は、モノクロ／カラーの複写機、プリンタ、ファクシミリ装置やこれらの複合機（ＭＦＰ）などいずれであってもよい。
【０１０８】
また、上述の実施の形態における処理は、ソフトウエアによって行なっても、ハードウエア回路を用いて行なってもよい。
【０１０９】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【０１１０】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１１１】
【図１】本発明の実施の形態におけるシートスルータイプの流し撮り原稿読取装置のメカ構成を示す図である。
【図２】対向板部材１０６の詳細を示す側面図である。
【図３】流し撮り原稿読取装置の全体構成を示すブロック図である。
【図４】全体制御部２５で実行される処理を示すフローチャートである。
【図５】ガンマ補正カーブ１を示す図である。
【図６】ガンマ補正カーブ２を示す図である。
【図７】対向板のＡ面をＣＩＳラインセンサー１０４に対向させて、ある原稿を読取った場合の原稿濃度のヒストグラムを示す図である。
【図８】対向板のＣ面をＣＩＳラインセンサー１０４に対向させて、ある原稿を読取った場合の原稿濃度のヒストグラムを示す図である。
【図９】図３の原稿領域検出部２１６が検出する情報を示す図である。
【符号の説明】
【０１１２】
２１  画像処理部
２２  操作部
２３  搬送駆動部
２４  対向板駆動部
２５  全体制御部
１００  給紙ローラー
１０１  分離ローラー
１０２  読取り前ローラー
１０３  ローラー
１０４  ＣＩＳラインセンサー
１０５  読取位置
１０６  対向板部材
２１１  ＡＤ変換部
２１２  シェーディング補正部
２１２ａ  補正部
２１２ｂ  白シェーディングデータ格納部
２１２ｃ  黒シェーディングデータ格納部
２１３  ガンマ変換部
２１４  画像メモリ部
２１５  画像補正部
２１６  原稿領域検出部
２２１ａ  ライン間補正部
２２１ｂ  色収差補正部
２２１ｃ  解像度変換部
ｄ１  原稿外領域情報
ｄ２  主走査原稿位置ずれ情報
ｄ３  副走査原稿位置ずれ情報
ｄ４  原稿傾き情報
【図１】
2009171429.tif 000003
【図２】
2009171429.tif 000004
【図３】
2009171429.tif 000005
【図４】
2009171429.tif 000006
【図５】
2009171429.tif 000007
【図６】
2009171429.tif 000008
【図７】
2009171429.tif 000009
【図８】
2009171429.tif 000010
【図９】
2009171429.tif 000011